(57)【特許請求の範囲】
【請求項１】
端子金具を後方から挿入可能なキャビティと、キャビティ内の一側面から突設されるとともにキャビティ内に正規深さまで挿入された前記端子金具に対して係止されるランスとを備えたハウジング本体の周面には、その外側に嵌合される相手側のハウジングとの間に挟まれた状態で密着して両ハウジング間を防水可能なゴムリングが嵌着されており、
前記ハウジング本体には、前記キャビティ内に挿入される前記端子金具を前止まり状態に支持可能な前止まり壁を備えた保持部材が前方から組み付けられるようになっているとともに、前記保持部材には、前記ゴムリングに対して前方から係合することで、ゴムリングを抜け止め保持可能なゴムリング保持部が設けられ、
前記ハウジング本体の側面には、前記キャビティに連通して形成されるとともに、キャビティ内に挿入された前記端子金具に係止してその抜け止めを図るためのリテーナを側方から取付可能なリテーナ取付孔が開口して設けられるとともに、前記リテーナには、前記ゴムリングに対して前方から係合することで、ゴムリングを抜け止め保持可能な補助ゴムリング保持部が設けられており、
さらには、前記ゴムリング保持部には、前記リテーナ取付孔に連通する連通部が側方へ開口して設けられ、そこに前記リテーナが通されるようになっており、前記リテーナには、前方から治具によって押圧操作が可能な取外操作片部が設けられるのに対し、前記保持部材には、前記取外操作片部を前方外部へ臨ませるとともに、前記治具を挿通可能な治具挿通凹部が設けられていることを特徴とするコネクタ。
【請求項２】
前記リテーナ取付孔内では前記リテーナは、係止部が前記キャビティから退避して配されることでキャビティ内への前記端子金具の挿抜を許容する仮係止位置と、この仮係止位置よりもリテーナ取付孔に対する差込方向奥側の位置であって前記係止部が前記キャビティ内に突入して前記端子金具に対して係止される本係止位置との間を移動可能とされており、
前記リテーナのうち差込方向手前側端部と差込方向奥側端部とが前記補助ゴムリング保持部を構成するとともに、リテーナが前記仮係止位置のときは、前記差込方向手前側端部が前記ゴムリングに対して前方から係合され、リテーナが前記本係止位置のときは、前記差込方向手前側端部に加えて差込方向奥側端部がゴムリングに対して前方から係合されることで、ゴムリングを抜け止め保持できるようになっていることを特徴とする請求項１記載のコネクタ。
【発明の詳細な説明】
【０００１】
【発明の属する技術分野】
本発明は、コネクタに関する。
【０００２】
【従来の技術】
図１８（Ａ）には一般的なコネクタが示されており、このコネクタは、合成樹脂製のハウジング１内に前後に貫通する形態のキャビティ２が形成され、そのキャビティ２内に電線の端末に接続した端子金具を後方から挿入すると、キャビティ２内の側面から突設されたランス３が一旦撓まされた後、端子金具が正規深さに至ると、ランス３が弾性復帰して端子金具が抜け止め保持されるとともに、端子金具の前端部が前止まり壁４に嵌合して前止まり状態に支持される構成のものが知られている。このハウジング１を成形する際には、ランス３と前止まり壁４の前後位置に金型５，６を配し、金型５，６内に溶融樹脂を充填し固化したら、両金型５，６を前後に抜くようにしている。
【０００３】
ところで、上記のようなコネクタの小型化を図ろうとしたものとして特開２０００−５８１８０公報に記載されたものが知られている。このものは、図１８（Ｂ）に示すように、ハウジング１についてランス３を有する部分と、前止まり壁４を有する部分とで前後に分割して成形した後、両部を組み付けるようにしている。このようにすれば、図１８（Ａ）のように従来ランス３の前方に配していた金型５を抜く都合上前止まり壁４の面積が減少するようなことがなくなるから、キャビティ２の幅寸法が小さくなった場合でも前止まり壁４を確保することができる。このコネクタにおいても、ランス３が撓み変形できるように、ランス３と幅方向に隣り合う左右の側壁７とが切離して形成され、ランス３と両側壁７との間には隙間が確保されている。
【０００４】
【発明が解決しようとする課題】
一方、防水性が要求される環境で使用されるコネクタとしては、ハウジングの周面に防水用のゴムリングを嵌着するとともに、そのハウジングに対して嵌合される相手ハウジングとの間でゴムリングを狭圧して両ハウジングの嵌合周面にゴムリングを密着させることで両ハウジング間の防水を図るようにしたものが知られている。
そして、このような防水機能を備えたコネクタにおいても小型化は漸次希求されるところであり、さらには両ハウジングを離脱させる際にはゴムリングが前方へ位置ずれしたり、場合によっては脱落する可能性があるため、ゴムリングを抜け止めする対策も同時に求められていた。
本発明は上記のような事情に基づいて完成されたものであって、小型化に好適なコネクタを提供し、さらにゴムリングの抜け止めを図ることを目的とする。
【０００５】
【課題を解決するための手段】
上記の目的を達成するための手段として、請求項１の発明は、端子金具を後方から挿入可能なキャビティと、キャビティ内の一側面から突設されるとともにキャビティ内に正規深さまで挿入された前記端子金具に対して係止されるランスとを備えたハウジング本体の周面には、その外側に嵌合される相手側のハウジングとの間に挟まれた状態で密着して両ハウジング間を防水可能なゴムリングが嵌着されており、前記ハウジング本体には、前記キャビティ内に挿入される前記端子金具を前止まり状態に支持可能な前止まり壁を備えた保持部材が前方から組み付けられるようになっているとともに、前記保持部材には、前記ゴムリングに対して前方から係合することで、ゴムリングを抜け止め保持可能なゴムリング保持部が設けられ、前記ハウジング本体の側面には、前記キャビティに連通して形成されるとともに、キャビティ内に挿入された前記端子金具に係止してその抜け止めを図るためのリテーナを側方から取付可能なリテーナ取付孔が開口して設けられるとともに、前記リテーナには、前記ゴムリングに対して前方から係合することで、ゴムリングを抜け止め保持可能な補助ゴムリング保持部が設けられており、さらには、前記ゴムリング保持部には、前記リテーナ取付孔に連通する連通部が側方へ開口して設けられ、そこに前記リテーナが通されるようになっており、前記リテーナには、前方から治具によって押圧操作が可能な取外操作片部が設けられるのに対し、前記保持部材には、前記取外操作片部を前方外部へ臨ませるとともに、前記治具を挿通可能な治具挿通凹部が設けられている構成としたところに特徴を有する。
【０００７】
請求項２の発明は、請求項１に記載のものにおいて、前記リテーナ取付孔内では前記リテーナは、係止部が前記キャビティから退避して配されることでキャビティ内への前記端子金具の挿抜を許容する仮係止位置と、この仮係止位置よりもリテーナ取付孔に対する差込方向奥側の位置であって前記係止部が前記キャビティ内に突入して前記端子金具に対して係止される本係止位置との間を移動可能とされており、前記リテーナのうち差込方向手前側端部と差込方向奥側端部とが前記補助ゴムリング保持部を構成するとともに、リテーナが前記仮係止位置のときは、前記差込方向手前側端部が前記ゴムリングに対して前方から係合され、リテーナが前記本係止位置のときは、前記差込方向手前側端部に加えて差込方向奥側端部がゴムリングに対して前方から係合されることで、ゴムリングを抜け止め保持できるようになっているところに特徴を有する。
【０００８】
【発明の作用及び効果】
＜請求項１の発明＞
ハウジング本体に対してその周面にゴムリングを嵌着するとともに保持部材を組み付けると、保持部材のゴムリング保持部がゴムリングに対して前方から係合してゴムリングの抜け止めが図られる。この状態で端子金具をキャビティ内に挿入すると、端子金具は前止まり壁によって前止まり状態に支持されるとともに、ランスによって係止されることで抜け止め保持される。
前止まり壁を備える保持部材をハウジング本体とは別体形成したから、ランスを成形するための金型を抜くために前止まり壁の面積が減少することがなく、キャビティを小型化した場合でも前止まり壁を確保でき、もって小型化に好適なコネクタを提供することができ、さらにはゴムリング保持部によってゴムリングを抜け止め状態に保持することができる。
また、保持部材のゴムリング保持部に加えて、リテーナに補助ゴムリング保持部を設けるようにしたから、ゴムリングの抜け止めをより確実なものとすることができる。
【０００９】
＜請求項２の発明＞
キャビティ内に端子金具を挿入する前の段階でリテーナ取付孔内にリテーナを仮係止位置に取り付けると、リテーナの差込方向手前側端部がゴムリングに係合してその抜け止めが図られる。キャビティ内に端子金具を挿入した後にリテーナを本係止位置へ移動させると、係止部が端子金具に係止するとともに、リテーナの差込方向手前側端部と差込方向奥側端部との２箇所がゴムリングに係合するので、ゴムリングをより強固に抜け止めすることができる。
【００１０】
【発明の実施の形態】
本発明の一実施形態を図１ないし図１６によって説明する。この実施形態では、防水機能を備えた雌コネクタを示す。この雌コネクタは、大まかには、図３に示すように、端子金具１３を収容可能なハウジング本体１０に対して、前方からは防水用のゴムリング３０と端子金具１３を支持するための保持部材５０とが組み付けられ、側方からは端子金具１３に係止してその抜け止めを図るためのリテーナ４０が組み付けられて構成される。なお、以下では、上下方向については、図３、図５、図８、図１０、図１３及び図１５以外の各図面を基準とし、前後方向については特に断らない限りハウジング本体１０に対する端子金具１３の挿入方向を前方として説明する。
【００１１】
ハウジング本体１０は、合成樹脂製とされ、図３及び図４に示すように、後方から端子金具１３が挿入されるキャビティ１９を幅方向に５室並べて備えた端子収容部１１と、この端子収容部１１を取り囲むフード部１２とを備えている。端子金具１３は、箱形の接続部１４と、電線Ｗの端末に圧着接続されるバレル部１５とを前後に備えており、電線Ｗの被覆端部に嵌着されたゴム栓１６がバレル部１５によってかしめ固定されている。キャビティ１９は、前半部分が端子金具１３の接続部１４に合わせて略角形に形成される一方、後半部分がゴム栓１６に合わせて円形に形成されることでゴム栓１６がキャビティ１９の内周面に密着してキャビティ１９内を防水できるようになっている。各キャビティ１９の前部上面側からは片持ち状のランス２０が端子金具１３の挿入方向に沿って延出して設けられていて、このランス２０はキャビティ１９内に挿入される端子金具１３によって上方の撓み空間２１内へ一旦弾性変形された後、端子金具１３が正規深さに至ると弾性復帰して接続部１４の上面に突設された被係止部１７に係止されるようになっている。このとき端子金具１３は、その前端部を端子収容部１１から前方へ突き出した状態で収容される。なお、この端子金具１３の突出部分（前端部）については後に詳しく説明する保持部材５０によって支持される（図９参照）。
【００１２】
隣り合う各キャビティ１９の前半部分を仕切る隔壁２２には、ランス２０の根元位置から前方へ開放する切欠部２３がそれぞれ設けられている。この切欠部２３は、図１に示すように、隔壁２２の上部をその高さ寸法の半分強にわたって（隔壁２２の上端位置からランス２０の下端部よりも下方位置まで）開放して形成されている。各切欠部２３の奥端面からは、ランス２０の図１の左側面に対して全長にわたって連結される解除操作片２４が突設されており、この解除操作片２４を治具などによって押圧操作することで、ランス２０を強制的に撓み変形させて、端子金具１３に対するランス２０の係止状態を解除できるようになっている。この解除操作片２４の幅寸法は、切欠部２３の幅寸法の半分程度となっている。切欠部２３のうち解除操作片２４とその図１の左隣のランス２０との間の空間には、後に詳しく説明する保持部材５０の仕切り壁６０が前方から挿入可能とされている。切欠部２３の上下面には、仕切り壁６０が嵌合可能とされる略Ｖ字型の位置決め溝２５が凹んで形成され、この位置決め溝２５は仕切り壁６０の挿入方向に沿って真っ直ぐに延出して形成されている。また、上記隔壁２２の幅寸法は、キャビティ１９の前半部分の幅寸法よりも僅かに小さい程度の大きさとされている。
【００１３】
端子収容部１１におけるランス２０のやや後方位置には、図３及び図４に示すように、幅方向に沿って端子収容部１１を貫通するリテーナ取付孔２６が各キャビティ１９に連通して形成されている。このリテーナ取付孔２６内には、キャビティ１９内に突出して端子金具１３に係止されるリテーナ４０が側方から取付可能とされている。リテーナ取付孔２６の孔縁のうち、リテーナ４０の差込方向奥側には、図５に示すように、リテーナ４０を保持するための保持凸部２７が前後に一対対向して設けられている。また、保持凸部２７よりもリテーナ４０の差込方向奥側には、保持凸部２７の奥端面を成形するための型抜き孔２８が前方へ開放して形成されている。端子収容部１１の上下面には、図４に示すように、保持部材５０を保持するための一対の保持溝部２９が幅方向に沿って側方へ開放して形成されている。また、端子収容部１１の前端面には、保持部材５０の取り付け動作を案内するためのテーパ面が上下に一対ずつ設けられている。
【００１４】
フード部１２は、端子収容部１１の後部周面から径方向に張り出す連結部分を介して端子収容部１１と連結されるとともに、前方へ開放する略角筒状に形成されている。このフード部１２と端子収容部１１との間には、前方から相手側の雄コネクタ（図示せず）が嵌合可能とされており、端子収容部１１の外周面に嵌着されるゴムリング３０が端子収容部１１と上記雄コネクタとの間に狭まれた状態で両者に密着することで、両コネクタ間の防水が図られるようになっている。フード部１２の上部における幅方向の中央には、雄コネクタを嵌合状態に保持するためのロックアーム３１が設けられている。ロックアーム３１は、その後端部が一対の支持アーム３２によって端子収容部１１に連結されるとともに、図５に示すように、両側縁部がフード部１２と部分的に連結されることで支持されて上下方向に弾性変形可能とされている。フード部１２における図５の右側部には、リテーナ４０を挿通可能なリテーナ挿通孔３３が側方に開口して設けられている。図２に示すように、このリテーナ挿通孔３３を介して端子収容部１１のリテーナ取付孔２６と、保持溝部２９とが側方外部へ露出しており、これらリテーナ挿通孔３３、リテーナ取付孔２６及び保持溝部２９は、ハウジング本体１０の成形時に同じ金型によって成形されている。また、フード部１２の両側部及び下部は、図１に示すように、それぞれ部分的に外方へ膨出して形成されることで、雄コネクタの嵌合動作を案内するためのガイド溝部３４が３つ設けられている。
【００１５】
リテーナ４０は、合成樹脂製とされ、リテーナ取付孔２６内に差し込まれる細長い板状の基部４１を備えるとともに、基部４１の下面側には、各キャビティ１９内に突入して端子金具１３に係止可能な係止突部４２が５つ、キャビティ１９間のピッチに合わせて並んで設けられている。基部４１のうち、端子収容部１１に対する差込方向手前側端部４１ａの上面には、リテーナ４０の取り付け時に側方から治具によって押圧操作可能な取付操作突部４３が設けられている。基部４１の差込方向手前側端部４１ａの前面には、取り外し時に前方から治具によって押圧操作が可能な薄肉状の取外操作片部４４が前方へ突設されている。また、リテーナ４０の差込方向手前側端部４１ａの側面は、後記する保持部材５０の外形に合わせて緩やかな弧状に形成されている。
【００１６】
基部４１における差込方向奥側部分の前後面には、図５に示すように、奥側から順に第１保持凹部４６と第２保持凹部４７とが一対ずつ並んで設けられている。そして、これら第１保持凹部４６または第２保持凹部４７がリテーナ取付孔２６内の保持凸部２７に係止されることで、リテーナ４０は端子収容部１１に対して仮係止位置と本係止位置との２位置に保持されるようになっている。
【００１７】
詳しくは、図８に示すように、第１保持凹部４６が保持凸部２７に係止すると、リテーナ４０は仮係止位置に保持される。このとき、図１０に示すように、各係止突部４２がキャビティ１９から退避して隔壁２２と同じ位置に配されることで、キャビティ１９内への端子金具１３の挿抜が許容されるとともに、図１１に示すように、リテーナ４０の差込方向手前側端部４１ａが保持部材５０の側面から図示右側に部分的に突出して配される。このとき、差込方向手前側端部４１ａは、図８及び図１０に示すように、ゴムリング３０の前端面に対して係合されることで、ゴムリング３０の前方への抜け止めが図られるようになっている。
【００１８】
一方、リテーナ４０が奥側に移動して、図１３に示すように、第２保持凹部４７が保持凸部２７に係止すると、リテーナ４０は本係止位置に保持される。このとき、図１４に示すように、各係止突部４２がキャビティ１９内に突入して端子金具１３の接続部１４の後端に形成されたあご部１８に係止されるとともに、図１６に示すように、リテーナ４０の差込方向手前側側面が後記する保持部材５０の側面とほぼ面一になる。このとき、リテーナ４０の基部４１の差込方向奥側端部４１ｂは、図１３及び図１５に示すように、端子収容部１１から図示左側方へ突出して配されるとともに、ゴムリング３０の前端面に対して係合されることで、ゴムリング３０の前方への抜け止めが図られるようになっている。なおこの本係止位置では基部４１の差込方向手前側端部４１ａもゴムリング３０の前端面に係合した状態となっている。また、上記した係止突部４２の幅寸法は、隔壁２２の幅寸法よりも僅かに小さい程度であり、端子金具１３のあご部１８のほぼ全幅にわたって係止されるようになっている。
【００１９】
保持部材５０は、合成樹脂製とされ、図６に示すように、略長円形状の前壁５１を備えるとともに、前壁５１からは略筒状の保持板５２が後方へ突出して設けられている。保持板５２は、図４に示すように、端子収容部１１の外周面に嵌合可能とされるとともに、その内面に上下に一対ずつ設けられた保持突部５３が端子収容部１１に凹設された保持溝部２９に係止されることで、保持部材５０が端子収容部１１に一体的に組み付けられた状態に保持されるようになっている。このとき、保持板５２がゴムリング３０の前端面に係合可能とされることで、ゴムリング３０の抜け止めが図られるようになっている（図９参照）。保持板５２の上部における図６の右端部内面には、端子収容部１１の型抜き孔２８内に進入可能な膨出部５４が設けられている（図１１参照）。保持板５２における図６の左端部には、リテーナ取付孔２６及びリテーナ挿通孔３３に連通する連通部５５が側方へ開口して設けられている。この連通部５５の前方には、図１２に示すように、本係止位置とされたリテーナ４０の取外操作片部４４を前方外部へ臨ませるとともに、取外操作片部４４を操作するための治具を挿通可能な治具挿通凹部５６が前壁５１を凹ませて設けられている。また、保持板５２のうち連通部５５の反対側（図６の右側）には、図１３に示すように、リテーナ４０が本係止位置に移動される際に、端子収容部１１から図示左側方へ突出する基部４１の差込方向奥側端部４１ｂを逃がすための逃がし凹部６２が設けられている。
【００２０】
前壁５１には、図３及び図４に示すように、端子収容部１１から前方へ突き出す各端子金具１３の前端部が嵌合可能とされる嵌合凹部５７がキャビティ１９間のピッチに合わせた位置に５つ並んで設けられている。端子金具１３の前端部は、嵌合凹部５７によって支持されることで上下方向、幅方向及び前方へ遊動不能に保持される。図６に示すように、前壁５１のうち嵌合凹部５７の中央位置には、相手側の雄コネクタの雄端子金具を挿通可能な挿通孔５８が貫通して形成されている。前壁５１には、嵌合凹部５７のうち図６の右上部分に連通する治具挿入孔５９が前後に貫通して形成されている。この治具挿入孔５９は、図７に示すように、ランス２０の解除操作片２４が前方外部へ臨むような位置に形成されるとともに、前方から解除操作片２４を操作するための治具が挿入可能とされている。この治具挿入孔５９は、上記挿通孔５８に対して斜めにずれた位置に配されているから、両コネクタの嵌合時に相手側の雄コネクタが上下方向または幅方向について傾いた姿勢とされた場合でも、雄端子金具が誤って治具挿入孔５９内に入り難くなっている。
【００２１】
図６に示すように、前壁５１の後面のうち、治具挿入孔５９の図６の右隣で、且つ嵌合凹部５７の左隣の位置には、それぞれ４本の仕切り壁６０が後方へ突出して設けられている。これらの仕切り壁６０は、保持部材５０を端子収容部１１に組み付けるのに伴って、図１１に示すように、各切欠部２３内に挿入可能とされている。仕切り壁６０は、図１０に示すように、その後端部が切欠部２３の奥端面に当接する位置（ランス２０の根元位置）まで挿入されることで、切欠部２３を全域にわたって塞ぐ。この仕切り壁６０により、隣り合うキャビティ１９内に挿入される端子金具１３が互いに絶縁状態に隔離されるとともに、仕切り壁６０の側面がキャビティ１９の側面の一部を構成する。この仕切り壁６０の幅寸法は、隔壁２２（切欠部２３）の半分程度とされており、仕切り壁６０とランス２０または解除操作片２４との間には、ランス２０の弾性変形動作を阻害しない程度の最低限の隙間が確保されている。詳しくは、仕切り壁６０の図示左側面は、嵌合凹部５７及びキャビティ１９の内側面に対して僅かに引っ込んで形成されている。
【００２２】
仕切り壁６０の上下端部には、図１１に示すように、上下に突出する略三角形の位置決め突部６１が形成されており、その位置決め突部６１が、切欠部２３に形成された略Ｖ字型の位置決め溝２５内に嵌合されることで、仕切り壁６０が幅方向にずれることなく正規位置に位置決めされるようになっている。詳しくは、仕切り壁６０の上下面における図１１の左端には、右側の位置決め突部６１へとつながる水平部分が僅かに確保されており、この水平部分が切欠部２３の上下面に当接可能とされている。
【００２３】
続いて、雌コネクタの組み付け方法について説明する。まず、ハウジング本体１０の端子収容部１１の外周面にゴムリング３０を嵌着した後、その前方から保持部材５０を端子収容部１１に組み付ける。すると保持板５２の内周面が端子収容部１１の外周面に嵌合されるとともに、図９に示すように、保持突部５３がテーパ面に乗り上げた後に保持溝部２９内に進入してその前端面が保持溝部２９の前端面に係止されることで、保持部材５０が端子収容部１１に対して一体的に保持される。このとき、保持板５２の後端面がゴムリング３０の前端面に対して係合可能とされることで、ゴムリング３０の前方への抜け止めが図られる。この過程では、図１０及び図１１に示すように、各仕切り壁６０が各切欠部２３内に差し込まれるのに伴って、上下の位置決め突部６１が対応する位置決め溝２５内に進入されることで幅方向について位置決めされるから、仕切り壁６０がランス２０や解除操作片２４に干渉することなく円滑に切欠部２３に挿入される。仕切り壁６０は、その後端面が切欠部２３の奥端面に当接される深さ、つまりランス２０の根元に至る長さにわたって挿入されることで、隣り合うキャビティ１９間を仕切るとともにその側面がキャビティ１９の側面を構成する。また、このとき保持部材５０の前端面とハウジング本体１０の前端面とが面一状となる。
【００２４】
その一方で、ハウジング本体１０の側方からリテーナ４０を、フード部１２のリテーナ挿通孔３３を通して、端子収容部１１のリテーナ取付孔２６内に差し込む。図８に示すように、基部４１が第１保持凹部４６が保持凸部２７に係止する深さまで差し込まれたところで、リテーナ４０は仮係止位置に保持される。このとき、図７に示すように、リテーナ４０における差込方向手前側端部４１ａが幅方向について保持部材５０とフード部１２との間に配されることで前方から視認可能とされる。しかも、この仮係止位置では、図８及び図１０に示すように、リテーナ４０の基部４１の差込方向手前側端部４１ａが保持部材５０の連通部５５内に配されるとともにゴムリング３０の前端面に係合される。これにより基部４１の差込方向手前側端部４１ａは、保持部材５０の保持板５２と共にゴムリング３０を前方へ位置ずれしたり脱落することがないよう抜け止め保持することができる。なお、これら保持部材５０とリテーナ４０の取り付け作業は、どちらが先であっても構わない。
【００２５】
続いて、キャビティ１９内に端子金具１３を挿入すると、途中で接続部１４がランス２０を押圧することでランス２０が上方の撓み空間２１内へ一旦弾性変形され、端子金具１３が正規深さに至ると、図９に示すように、ランス２０が弾性復帰して被係止部１７に係止されることで端子金具１３が一次係止される。このとき、図９及び図１０に示すように、端子金具１３の前端部が保持部材５０の嵌合凹部５７内に嵌合されることで、端子金具１３が前止まり状態に支持される。収容された端子金具１３は、仕切り壁６０によって切欠部２３が塞がれていることで、隣り合うキャビティ１９内の端子金具１３に対して絶縁状態に隔離される。全ての端子金具１３をキャビティ１９内に挿入したら、リテーナ４０を本係止位置へと移動させる。その際には、側方からリテーナ挿通孔３３を通した治具によってリテーナ４０の取付操作突部４３を押圧することで、リテーナ４０を奥側へ押し込み、図１３に示すように、第１保持凹部４６が保持凸部２７から抜け出した後、第２保持凹部４７が保持凸部２７に係止されることで、リテーナ４０は本係止位置に保持される。すると、図１４及び図１５に示すように、リテーナ４０の係止突部４２がキャビティ１９内に突入して、あご部１８に係止されることで端子金具１３が二次係止される。
【００２６】
リテーナ４０が仮係止位置から本係止位置へと移動する過程では、図１２に示すように、リテーナ４０の差込方向手前側端部４１ａのうち取外操作片部４４を除いた部分が次第に保持部材５０に隠れて前方から視認できなくなることで、リテーナ４０が本係止位置に至ったことが検知される。このとき、リテーナ４０の差込方向手前側側面が保持部材５０の側面とほぼ面一に配される。この本係止位置では、図１３及び図１５に示すように、リテーナ４０の基部４１の差込方向奥側端部４１ｂが端子収容部１１から図示左側方へ突出して保持部材５０の逃がし凹部６２内に配されるとともにゴムリング３０の前端面に対して係合され、且つ基部４１の差込方向手前側端部４１ａが保持部材５０の連通部５５内に配されてゴムリング３０の前端面に係合される。すなわち、本係止位置において基部４１の差込方向手前側端部４１ａと差込方向奥側端部４１ｂは、保持部材５０の保持板５２と共にゴムリング３０のほぼ全周にわたってその前端面に係合しており、これにより、ゴムリング３０をより強固に抜け止め保持することができる。言い換えると、保持部材５０の保持板５２には、リテーナ４０を取り付ける都合から連通部５５や逃がし凹部６２を切り欠いて形成されているため、その切欠部分については保持板５２自身でゴムリング３０を前止まりできなくなるが、本実施形態によればリテーナ４０の基部４１の差込方向手前側端部４１ａと差込方向奥側端部４１ｂとによって連通部５５や逃がし凹部６２が切欠形成された保持板４２を補足して強固にゴムリング３０を保持することができる。
【００２７】
一方、メンテナンスなどの事情により端子金具１３を取り外す場合には、まずリテーナ４０を本係止位置から仮係止位置へ移動させる。このとき、リテーナ４０の取外操作片部４４に対して前方から保持部材５０の治具挿通凹部５６を通して突っ込んだ治具を操作することで、リテーナ４０を仮係止位置へ移動させる。その後、保持部材５０の治具挿入孔５９に対して上記とは別の治具を前方から挿入するとともに、治具挿入孔５９に臨んだランス２０の解除操作片２４を治具によって押圧操作することで、ランス２０を端子金具１３の被係止部１７との係止状態を解除しつつ強制的に弾性変形させてから、端子金具１３をキャビティ１９から引き抜くようにする。
【００２８】
以上説明したように本実施形態によれば、キャビティ１９内に挿入される端子金具１３を前止まり支持する前壁５１をハウジング本体１０とは別体の保持部材５０に設けるようにしたから、ランス２０を成形するための金型を抜くために前壁５１の面積が減少することがなく、キャビティ１９を小型化した場合でも前壁５１を十分に確保することができ、もって小型化に好適なコネクタを提供することができる。さらには保持部材５０に設けた保持板５２によってゴムリング３０を前方へ位置ずれしたり脱落することがないよう抜け止め状態に保持することができる。また仮に保持部材５０とは別途にゴムリング３０専用の抜け止め部材を設けた場合と比べてコネクタの構造を簡略化することができる。
【００２９】
しかも、保持部材５０の保持板５２に加えてリテーナ４０の基部４１の差込方向手前側端部４１ａと差込方向奥側端部４１ｂとによってゴムリング３０をより強固に抜け止めすることができる。詳しくは、リテーナ４０が仮係止位置のときは、基部４１の差込方向手前側端部４１ａがゴムリング３０に係合され、リテーナ４０が本係止位置のときは、基部４１の差込方向手前側端部４１ａと差込方向奥側端部４１ｂとの２箇所がゴムリング３０に係合される。
【００３０】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記した実施形態の変形例として、図１７に示すように、仕切り壁６０の後端部に後方へ突出する山部７０を形成するとともに、切欠部２４の奥端面に山部７０を受け入れる谷部７１を凹み形成するようにしてもよい。
【００３１】
（２）上記した実施形態では、略Ｖ字型の位置決め溝に合わせて仕切り壁に略三角形の位置決め突部を形成した場合を示したが、位置決め溝と仕切り壁の形状は、例えば四角形や円形であってもよい。また、仕切り壁の位置決め部としては溝という形態以外にも、例えば切欠部の上下面に位置決め突起を一対ずつ設け、両位置決め突起間に仕切り壁を導入して位置決めする形態のものも本発明に含まれる。
【００３２】
（３）上記した実施形態では、フード部を備えた雌コネクタについて示したが、フード部を備えていない雌コネクタについても本発明を適用することができる。
（４）上記した実施形態では、雌コネクタについて示したが、雄コネクタについても本発明を適用することができる。
【図面の簡単な説明】
【図１】本発明の一実施形態に係るハウジング本体、保持部材及びリテーナの正面図
【図２】ハウジング本体、保持部材及びリテーナの側面図
【図３】雌コネクタを分解した状態を示す図１のＡ−Ａ線断面図
【図４】雌コネクタを分解した状態を示す図１のＢ−Ｂ線断面図
【図５】ハウジング本体とリテーナの図１のＣ−Ｃ線断面図
【図６】保持部材の背面図
【図７】保持部材を装着したハウジング本体にリテーナを仮係止位置に取り付けた状態を示す正面図
【図８】図７のＣ−Ｃ線断面図
【図９】図７のＢ−Ｂ線断面図
【図１０】図７のＡ−Ａ線断面図
【図１１】図１０のＤ−Ｄ線断面図
【図１２】リテーナを本係止位置に移動した状態を示す正面図
【図１３】図１２のＣ−Ｃ線断面図
【図１４】図１２のＢ−Ｂ線断面図
【図１５】図１２のＡ−Ａ線断面図
【図１６】図１５のＤ−Ｄ線断面図
【図１７】変形例の拡大平断面図
【図１８】（Ａ）従来の一般的なコネクタの説明図
（Ｂ）（Ａ）について小型化を図ったものに関する説明図
【符号の説明】
１０…ハウジング本体
１３…端子金具
１９…キャビティ
２０…ランス
２６…リテーナ取付孔
３０…ゴムリング
４０…リテーナ
４１ａ…差込方向手前側端部（補助ゴムリング保持部）
４１ｂ…差込方向奥側端部（補助ゴムリング保持部）
４２…係止突部（係止部）
５０…保持部材
５１…前壁（前止まり壁）
５２…保持板（ゴムリング保持部）
【図１】
0003968638.tif 000002
【図２】
0003968638.tif 000003
【図３】
0003968638.tif 000004
【図４】
0003968638.tif 000005
【図５】
0003968638.tif 000006
【図６】
0003968638.tif 000007
【図７】
0003968638.tif 000008
【図８】
0003968638.tif 000009
【図９】
0003968638.tif 000010
【図１０】
0003968638.tif 000011
【図１１】
0003968638.tif 000012
【図１２】
0003968638.tif 000013
【図１３】
0003968638.tif 000014
【図１４】
0003968638.tif 000015
【図１５】
0003968638.tif 000016
【図１６】
0003968638.tif 000017
【図１７】
0003968638.tif 000018
【図１８】
0003968638.tif 000019